(57)【要約】      （修正有）【課題】ユーザの反応の現況に応じて直観的に変化するインタラクティブフィードバック技術を提供する。【解決手段】コンテンツに対する反応状態に対応する複数のインタフェース要素が選択された累積回数を取得Ｓ４１０、累積回数の相対的数値に関する基準及び累積回数の絶対的数値に関する基準に基づいて、複数のインタフェース要素の外形、位置及び表現レベルのうち少なくとも１つの表現方式を決定するＳ４２０。【選択図】図４
2016058089.tif 000002
【特許請求の範囲】
【請求項１】
ユーザフィードバックのためのインターフェーシング方法であって、
コンテンツに対する反応状態に対応する複数のインタフェース要素が選択された累積回数を取得するステップと、
前記累積回数の間の相対的関係に基づいて、前記複数のインタフェース要素のうち少なくとも１つの表現方式を決定するステップと、
を含む、インターフェーシング方法。
【請求項２】
前記累積回数の間の相対的関係は、前記累積回数の相対的数値に関する基準を含む、請求項１に記載のインターフェーシング方法。
【請求項３】
前記少なくとも１つの表現方式を決定するステップは、前記累積回数の相対的数値に関する基準及び前記累積回数の絶対的数値に関する基準に基づいて、前記複数のインタフェース要素のうち少なくとも１つの表現方式を変更するステップを含む、請求項１に記載のインターフェーシング方法。
【請求項４】
前記少なくとも１つの表現方式を決定するステップは、前記累積回数の統計に基づいて、前記複数のインタフェース要素のうち少なくとも１つの表現方式を変更するステップを含む、請求項１に記載のインターフェーシング方法。
【請求項５】
前記少なくとも１つの表現方式を決定するステップは、
前記累積回数の大きさに応じて、前記複数のインタフェース要素を第１集合及び第２集合に分類するステップと、
前記第１集合に属するインタフェース要素の第１累積回数の統計及び前記第２集合に属するインタフェース要素の第２累積回数の統計の間の相対的関係に基づいて、前記複数のインタフェース要素のうち少なくとも１つの表現方式を変更するステップと、
を含む、請求項１に記載のインターフェーシング方法。
【請求項６】
前記少なくとも１つの表現方式を決定するステップは、
前記第１累積回数の間の相対的関係及び前記第１累積回数のうち少なくとも１つに基づいて、前記第１集合に属する少なくとも１つのインタフェース要素の表現方式を変更するステップと、
前記第２累積回数の間の相対的関係及び前記第２累積回数のうち少なくとも１つに基づいて、前記第２集合に属する少なくとも１つのインタフェース要素の表現方式を変更するステップと、
のうち少なくとも１つをさらに含む、請求項５に記載のインターフェーシング方法。
【請求項７】
前記複数のインタフェース要素それぞれの表現方式は、外形、位置、及び表現レベルのうち少なくとも１つを含む、請求項１に記載のインターフェーシング方法。
【請求項８】
前記外形は、
インタフェース要素を表現するイメージと、
インタフェース要素の大きさと、
インタフェース要素に適用される視覚的効果と、
のうち少なくとも１つを含む、請求項７に記載のインターフェーシング方法。
【請求項９】
前記複数のインタフェース要素それぞれは、複数の表現レベルに対応する複数のイメージとマッチングされ、現在の表現レベルに対応するイメージによって表現される、請求項１に記載のインターフェーシング方法。
【請求項１０】
前記複数のインタフェース要素それぞれは、
情報コンポーネントと、
入力コントロールと、
のうち少なくとも１つを含む、請求項１に記載のインターフェーシング方法。
【請求項１１】
前記少なくとも１つの表現方式を決定するステップは、前記累積回数のうち最も大きい累積回数が第１閾値よりも小さい場合、前記複数のインタフェース要素の表現レベルを予め決定した第２レベルに設定するステップを含む、請求項１に記載のインターフェーシング方法。
【請求項１２】
前記少なくとも１つの表現方式を決定するステップは、
前記累積回数の大きさに応じて、前記複数のインタフェース要素を第１集合及び第２集合に分類するステップと、
前記第１集合に属するインタフェース要素の累積回数を合算した結果が前記第２集合に属するインタフェース要素の累積回数を合算した結果よりも第２閾値比率以上大きい場合、前記第２集合に属するインタフェース要素の表現レベルを予め決定した第１レベルに設定するステップと、
を含む、請求項１に記載のインターフェーシング方法。
【請求項１３】
前記少なくとも１つの表現方式を決定するステップは、前記第１集合に属するインタフェース要素の累積回数のうち最も大きい累積回数と残りの累積回数のいずれか１つの差が前記最も大きい累積回数の予め決定した第３閾値の部分比率よりも大きい場合、前記残りの累積回数のいずれか１つに対応するインタフェース要素の表現レベルを前記第１レベルに設定するステップをさらに含む、請求項１２に記載のインターフェーシング方法。
【請求項１４】
請求項１〜請求項１３のいずれか一項に記載の方法を実行するためのプログラムが記録されたコンピュータ読み出し可能な記録媒体。
【請求項１５】
ハードウェアと結合して請求項１〜請求項１３のいずれか一項に記載の方法を実行させるために媒体に格納されたコンピュータプログラム。
【請求項１６】
コンテンツに対する反応状態に対応する複数のインタフェース要素が選択された累積回数をカウントするカウント部と、
前記コンテンツに関するページを要求する要求信号を受信する受信部と、
前記累積回数の間の相対的関係に基づいて、前記複数のインタフェース要素のうち少なくとも１つの表現方式を決定する決定部と、
前記決定された少なくとも１つの表現方式を含む応答信号を送信する送信部と、
を含む、サーバ。
【請求項１７】
コンテンツに関するページを要求する要求信号を送信する送信部と、
前記コンテンツに対する反応状態に対応する複数のインタフェース要素が選択された累積回数を含む応答信号を受信する受信部と、
前記累積回数の間の相対的関係に基づいて、前記複数のインタフェース要素のうち少なくとも１つの表現方式を決定する決定部と、
を含む、端末。
【発明の詳細な説明】
【技術分野】
【０００１】
以下の実施形態は、ユーザフィードバックのためのインターフェーシング方法に関する。
【背景技術】
【０００２】
デジタルコンテンツは、インターネットを用いて文書、写真、動画、漫画、地図、ブログ、ミニホームページ、サウンド、音楽、スキン（skin）、アバター（avatar）などの様々な形態でユーザに提供される。昨今、携帯端末を介してインターネットを用いることが日常生活になることで、デジタルコンテンツの数が幾何級数的に増加している。
【０００３】
そのため、デジタルコンテンツに対するユーザの反応を適切にフィードバックする技術が求められている。従来におけるフィードバック技術は、単にユーザの反応をカウントして表示する程度のものである。このような単なる方式のフィードバック技術は、ユーザの反応の現況を直観的に伝達することができない。
【０００４】
このような問題を解決するために、ユーザの反応の現況に応じて直観的に変化するインタラクティブ（Interactive）フィードバック技術が求められている。
【発明の概要】
【発明が解決しようとする課題】
【０００５】
実施形態の目的は、ユーザの反応の現況に応じて直観的に変化するインタラクティブフィードバック技術を提供する。
【課題を解決するための手段】
【０００６】
一側面に係るユーザフィードバックのためのインターフェーシング方法は、コンテンツに対する反応状態に対応する複数のインタフェース要素が選択された累積回数を取得するステップと、前記累積回数の間の相対的関係に基づいて、前記複数のインタフェース要素のうち少なくとも１つの表現方式を決定するステップとを含む。
【０００７】
前記累積回数の間の相対的関係は、前記累積回数の相対的数値に関する基準を含んでもよい。
【０００８】
前記少なくとも１つの表現方式を決定するステップは、前記累積回数の相対的数値に関する基準及び前記累積回数の絶対的数値に関する基準に基づいて、前記複数のインタフェース要素のうち少なくとも１つの表現方式を変更するステップを含んでもよい。
【０００９】
前記少なくとも１つの表現方式を決定するステップは、前記累積回数の統計に基づいて、前記複数のインタフェース要素のうち少なくとも１つの表現方式を変更するステップを含んでもよい。
【００１０】
前記少なくとも１つの表現方式を決定するステップは、前記累積回数の大きさに応じて、前記複数のインタフェース要素を第１集合及び第２集合に分類するステップと、前記第１集合に属するインタフェース要素の第１累積回数の統計及び前記第２集合に属するインタフェース要素の第２累積回数の統計の間の相対的関係に基づいて、前記複数のインタフェース要素のうち少なくとも１つの表現方式を変更するステップとを含んでもよい。
【００１１】
前記少なくとも１つの表現方式を決定するステップは、前記第１累積回数の間の相対的関係及び前記第１累積回数のうち少なくとも１つに基づいて、前記第１集合に属する少なくとも１つのインタフェース要素の表現方式を変更するステップと、前記第２累積回数の間の相対的関係及び前記第２累積回数のうち少なくとも１つに基づいて、前記第２集合に属する少なくとも１つのインタフェース要素の表現方式を変更するステップとのうち少なくとも１つをさらに含んでもよい。
【００１２】
前記複数のインタフェース要素それぞれの表現方式は、外形、位置、及び表現レベルのうち少なくとも１つを含んでもよい。前記外形は、インタフェース要素を表現するイメージと、インタフェース要素の大きさと、インタフェース要素に適用される視覚的効果とのうち少なくとも１つを含んでもよい。
【００１３】
前記複数のインタフェース要素それぞれは、複数の表現レベルに対応する複数のイメージとマッチングされ、現在の表現レベルに対応するイメージによって表現されてもよい。
【００１４】
前記複数のインタフェース要素それぞれは、情報コンポーネントと、入力コントロールとのうち少なくとも１つを含んでもよい。
【００１５】
前記少なくとも１つの表現方式を決定するステップは、前記累積回数のうち最も大きい累積回数が第１閾値よりも小さい場合、前記複数のインタフェース要素の表現レベルを予め決定した第２レベルに設定するステップを含んでもよい。
【００１６】
前記少なくとも１つの表現方式を決定するステップは、前記累積回数の大きさに応じて、前記複数のインタフェース要素を第１集合及び第２集合に分類するステップと、前記第１集合に属するインタフェース要素の累積回数を合算した結果が前記第２集合に属するインタフェース要素の累積回数を合算した結果よりも第２閾値比率以上大きい場合、前記第２集合に属するインタフェース要素の表現レベルを予め決定した第１レベルに設定するステップとを含んでもよい。
【００１７】
前記少なくとも１つの表現方式を決定するステップは、前記第１集合に属するインタフェース要素の累積回数のうち最も大きい累積回数と残りの累積回数のいずれか１つの差が前記最も大きい累積回数の予め決定した第３閾値の部分比率よりも大きい場合、前記残りの累積回数のいずれか１つに対応するインタフェース要素の表現レベルを前記第１レベルに設定するステップをさらに含んでもよい。
【００１８】
一実施形態に係るサーバは、コンテンツに対する反応状態に対応する複数のインタフェース要素が選択された累積回数をカウントするカウント部と、前記コンテンツに関するページを要求する要求信号を受信する受信部と、前記累積回数の間の相対的関係に基づいて、前記複数のインタフェース要素のうち少なくとも１つの表現方式を決定する決定部と、前記決定された少なくとも１つの表現方式を含む応答信号を送信する送信部とを含む。
【００１９】
一実施形態に係る端末は、コンテンツに関するページを要求する要求信号を送信する送信部と、前記コンテンツに対する反応状態に対応する複数のインタフェース要素が選択された累積回数を含む応答信号を受信する受信部と、前記累積回数の間の相対的関係に基づいて、前記複数のインタフェース要素のうち少なくとも１つの表現方式を決定する決定部とを含む。
【発明の効果】
【００２０】
本発明によると、ユーザの反応現況に応じて直観的に変化するインタラクティブ（Interactive）フィードバック技術を提供することができる。
【図面の簡単な説明】
【００２１】
【図１】一実施形態に係るユーザフィードバックのためのインターフェーシング方法を説明する図である。
【図２】一実施形態に係るユーザフィードバックのためのインターフェーシング方法を説明する図である。
【図３】一実施形態に係るユーザフィードバックのためのインターフェーシング方法を説明する図である。
【図４】他の実施形態に係るユーザフィードバックのためのインターフェーシング方法を説明する図である。
【図５】他の実施形態に係るユーザフィードバックのためのインターフェーシング方法を説明する図である。
【図６】他の実施形態に係るユーザフィードバックのためのインターフェーシング方法を説明する図である。
【図７Ａ】実施形態に係るインタフェース要素を説明する図である。
【図７Ｂ】実施形態に係るインタフェース要素を説明する図である。
【図７Ｃ】実施形態に係るインタフェース要素を説明する図である。
【図８】一実施形態に係るインタフェース要素の表現レベルに対応するイメージを説明する図である。
【図９Ａ】実施形態に係るインタフェース要素の表現方式の変化を説明する図である。
【図９Ｂ】実施形態に係るインタフェース要素の表現方式の変化を説明する図である。
【図９Ｃ】実施形態に係るインタフェース要素の表現方式の変化を説明する図である。
【図１０】実施形態に係るインタフェース要素の表現方式の変化を説明する図である。
【図１１】実施形態に係るインタフェース要素の表現方式の変化を説明する図である。
【発明を実施するための形態】
【００２２】
以下、実施形態を添付する図面を参照しながら詳細に説明する。各図面に提示された同一の参照符号は同一の部材を示す。
【００２３】
図１ないし図３は、一実施形態に係るユーザフィードバックのためのインターフェーシング方法を説明する図である。図１を参照すると、一実施形態に係るインターフェーシング方法は、複数のインタフェース要素のうち第１インタフェース要素に対応するユーザ入力を受信するステップＳ１１０、及び受信されたユーザ入力に基づいて第１インタフェース要素と区別される第２インタフェース要素の表現方式を決定するステップＳ１２０を含む。
【００２４】
図１に示されたステップは、サーバ又はクライアントによって行われる。サーバはクライアントでサービスを提供する装置であり、クライアントはサーバにサービスを要求する装置である。サーバ及びクライアントは、それぞれターミナル、パーソナルコンピュータ、タブレットコンピュータ、スマートフォン、ＰＤＡ、ウェアラブルデバイスなどにより実現することができる。サーバとクライアントは互いに通信し得る。図１に示されたステップがサーバ又はクライアントによって行われる実施形態は図２及び図３を参照して後述する。
【００２５】
複数のインタフェース要素は、ユーザインタフェース（User Interface、ＵＩ）のための要素であり、複数のインタフェース要素を用いてユーザに情報を提供したり、ユーザから入力が受信される。
【００２６】
一実施形態によると、インタフェース要素は、ユーザに情報を提供する情報コンポーネントであってもよい。情報コンポーネントは、視覚的情報提供方式、聴覚的情報提供方式、触覚的情報提供方式、嗅覚的情報提供方式、味覚的情報提供方式などの様々な情報提供方式によりユーザに情報を提供することができる。例えば、インタフェース要素は、ユーザに視覚的情報を提供するイメージ、及びアイコンのうち少なくとも１つを含んでもよい。
【００２７】
一実施形態によると、インタフェース要素は、ユーザ入力を受信する入力コントロールであってもよい。入力コントロールは、マウス入力方式、キーボード入力方式、タッチ入力方式、ジェスチャー入力方式、モーション入力方式、音声入力方式などの様々な入力方式によりユーザ入力を受信することができる。例えば、インタフェース要素は、ボタン、チェックボックス、ラジオボタン、及びトグル（toggle）スイッチのうち少なくとも１つを含んでもよい。
【００２８】
一実施形態によると、インタフェース要素は、情報コンポーネントと入力コントロールが組合わせられた要素であってもよい。例えば、インタフェース要素は、選択可能なイメージ、及び選択可能なアイコンのうち少なくとも１つを含む。
【００２９】
複数のインタフェース要素は、ユーザに提供されるコンテンツに対する複数の反応状態に対応する。複数の反応状態は、コンテンツに対するユーザの反応がフィードバックされるための選択肢であり得る。例えば、表１を参照すると、コンテンツに対する複数の反応状態は「良い」、「面白い」、「カッコいい」、「あきれる」、「悲しい」、及び「腹立つ」を含む。
【００３０】
【表１】
2016058089.tif 000003
【００３１】
以下、説明の便宜のためにコンテンツに対する複数の反応状態を表１のように仮定するが、表１は例示的な事項に過ぎず、コンテンツに対する複数の反応状態は様々に変形され得る。
【００３２】
ステップＳ１１０において、複数のインタフェース要素のうち第１インタフェース要素に対応するユーザ入力が受信される。例えば、第１インタフェース要素が入力コントロールである場合、第１インタフェース要素を用いてユーザ入力が受信される。または、第１インタフェース要素が情報コンポーネントである場合、第１インタフェース要素に対応する入力コントロールによってユーザ入力が受信される。
【００３３】
上述したように、第１インタフェース要素は、ユーザに提供されるコンテンツに対する複数の反応状態のいずれか１つに対応する。例えば、第１インタフェース要素は「良い」に対応する。
【００３４】
ステップＳ１２０において、第１インタフェース要素に対応するユーザ入力に基づいて、第１インタフェース要素と区別される第２インタフェース要素の表現方式が決定され得る。例えば、第１インタフェース要素に対応するユーザ入力が受信されれば、第２インタフェース要素の表現方式が変更される。または、第１インタフェース要素に対応するユーザ入力が受信されることにより予め決定した条件が満足される場合、第２インタフェース要素の表現方式が変更される。予め決定した条件は、第１インタフェース要素が選択された累積回数に関する条件、第１インタフェース要素が選択された累積回数と異なるインタフェース要素が選択された累積回数の間の相対的関係に関する条件等、様々に設定され得る。
【００３５】
一実施形態によると、第１インタフェース要素に対応するユーザ入力が受信されれば、第１インタフェース要素が選択された累積回数が更新される。第１インタフェース要素が選択された累積回数は、サーバを介して更新されてもよい。累積回数は得票数と称されてもよい。
【００３６】
例えば、サーバは、複数のクライアントから情報を収集し得る。第１クライアントにインストールされた第１アプリケーションは、複数のインタフェース要素を第１ユーザに提供する。複数のインタフェース要素のうち第１インタフェース要素に対応するユーザ入力が受信される場合、第１アプリケーションは、受信されたユーザ入力をサーバに送信し得る。サーバは、第１インタフェース要素が選択された累積回数を増加させる。また、第２クライアントにインストールされた第２アプリケーションも複数のインタフェース要素を第２ユーザに提供する。複数のインタフェース要素のうち第１インタフェース要素に対応するユーザ入力が受信される場合、第２アプリケーションは、受信されたユーザ入力をサーバに送信し得る。サーバは、第１インタフェース要素が選択された累積回数を増加させ得る。
【００３７】
この場合、第１インタフェース要素が選択された累積回数に基づいて第２インタフェース要素の表現方式が決定されることができる。一例として、第１インタフェース要素が選択された累積回数が予め決定した閾値よりも大きい場合、第２インタフェース要素の表現方式が変更され得る。
【００３８】
一実施形態によると、第１インタフェース要素に対応するユーザ入力が受信されれば、第１インタフェース要素が選択された第１累積回数が更新され、第２インタフェース要素が選択された第２累積回数が取得される。第１インタフェース要素が選択された累積回数はサーバを介して更新される。また、第２インタフェース要素が選択された累積回数は、すでにサーバを介してカウントされ得る。
【００３９】
この場合、第１インタフェース要素が選択された第１累積回数と第２インタフェース要素が選択された第２累積回数との間の相対的関係に基づいて、第２インタフェース要素の表現方式が決定され得る。第１累積回数と第２累積回数との間の相対的関係は様々に設定されてもよい。一例として、第１累積回数と第２累積回数が予め決定した閾値比率（例えば、１０倍）以上に差異が生じる場合、第２インタフェース要素の表現方式が変更され得る。ここで、第１累積回数よりも第２累積回数が大きい場合に変更される第２インタフェース要素の表現方式と、第１累積回数よりも第２累積回数が小さい場合に変更される第２インタフェース要素の表現方式とは互いに異なる。他の例として、第１累積回数が第２累積回数よりも大きく、第１累積回数と第２累積回数との間の差が第１累積回数の予め決定した閾値の部分比率（例えば、１／１０）内に含まれているかの有無に応じて、第２インタフェース要素の表現方式が変更され得る。
【００４０】
または、第１累積回数と第２累積回数との間の相対的関係だけではなく、第２累積回数そのものをさらに考慮して、第２インタフェース要素の表現方式が決定されることができる。一例として、第１累積回数と第２累積回数が予め決定した閾値比率（例えば、１０倍）以上に差異が生じる場合、第２累積回数が予め決定した閾値（例えば、１００）よりも大きいか否かに応じて、第２インタフェース要素の表現方式が変更され得る。
【００４１】
一実施形態によると、第１インタフェース要素に対応するユーザ入力が受信されれば、複数のインタフェース要素が選択された累積回数が取得され得る。第１インタフェース要素が選択された累積回数はサーバを介して更新され、残りのインタフェース要素が選択された累積回数はすでにサーバを介してカウントされている。この場合、複数のインタフェース要素が選択された累積回数の間の相対的関係及びその累積回数のうち少なくとも１つに基づいて、第２インタフェース要素の表現方式が変更され得る。
【００４２】
インタフェース要素の表現方式は、インタフェース要素を表現する方式を変更するパラメータとして、例えば、外形（appearance）、位置、及び表現レベルのうち少なくとも１つを含んでもよい。
【００４３】
インタフェース要素の外形は、インタフェース要素を表現するイメージ、インタフェース要素の大きさ、及びインタフェース要素に適用される視覚的効果のうち少なくとも１つを含む。インタフェース要素の位置は、インタフェース要素が表現される位置として、例えば、絶対的な位置又は他のインタフェース要素に対する相対的な位置などを含む。
【００４４】
インタフェース要素の表現レベルは、インタフェース要素を段階的に表現するためのパラメータである。一実施形態によると、インタフェース要素は、複数の表現レベルに対応する複数のイメージとマッチングされる。インタフェース要素は、設定された表現レベルに対応するイメージによって表現される。
【００４５】
例えば、インタフェース要素は、３つの表現レベルに対応する３つのイメージとマッチングされてもよい。インタフェース要素の表現レベルが第１レベル、第２レベル、または、第３レベルに設定される場合、インタフェース要素は、第１レベルに対応する第１イメージ、第２レベルに対応する第２イメージ、または、第３レベルに対応する第３イメージに表現され得る。
【００４６】
一実施形態によると、インタフェース要素は、複数の表現レベルに対応する複数のイメージ、動画、音、振動パターン、臭い、または、その組合せとマッチングされ得る。この場合、インタフェース要素は、設定された表現レベルに対応するイメージ、動画、音、振動パターン、臭い、または、その組合せによって表現され得る。
【００４７】
以下、図２及び図３を参照し、図１に示されたステップがサーバ又はクライアントによって行われる実施形態を詳細に説明する。以下、複数のインタフェース要素が視覚的情報を提供する場合を説明するが、複数のインタフェース要素は、視覚的情報、聴覚的情報、触覚的情報、嗅覚的情報、味覚的情報、または、その組合せを提供するように様々に変形されることができる。
【００４８】
図２を参照すると、図１に示すステップはサーバによって行われる。ステップＳ２１１において、クライアントにインストールされたアプリケーション（以下、アプリケーション）は複数のインタフェース要素を表現する。例えば、アプリケーションは、複数のインタフェース要素を視覚的に表示してもよい。
【００４９】
ステップＳ２１２において、アプリケーションは、複数のインタフェース要素のうち第１インタフェース要素に対応するユーザ入力を受信する。例えば、入力コントロールによって複数のインタフェース要素のうち第１インタフェース要素を選択する入力が受信されてもよい。
【００５０】
ステップＳ２１３において、アプリケーションは、サーバに第１アプリケーションの表現方式の更新を要求する。アプリケーションは、サーバに表現方式の更新を要求する要求信号を送信する。要求信号は、ステップＳ２１２で受信されたユーザ入力を含む。例えば、要求信号は、第１インタフェース要素が選択されたことを指示する情報を含み得る。サーバは、アプリケーションを介してユーザ入力を受信し、サーバがユーザ入力を受信する動作は図１に示すステップＳ１１０に対応する。
【００５１】
ステップＳ２２１において、サーバは、ユーザ入力に基づいて第２インタフェース要素の表現方式を決定する。例えば、サーバは、第１インタフェース要素が選択された累積回数を更新し、第１インタフェース要素が選択された累積回数に基づいて第２インタフェース要素の表現方式を変更し得る。ステップＳ２２１は、図１に示すステップＳ１２０に対応する。
【００５２】
ステップＳ２２２において、サーバは、表現方式の更新要求に応答する。サーバは、アプリケーションに表現方式の更新要求に応答する応答信号を送信する。応答信号は表現方式の更新情報を含む。例えば、応答信号は、第２インタフェース要素の更新された表現方式を含み得る。もし、第２インタフェース要素の表現レベルが更新される場合、サーバは、更新された表現レベルに対応するイメージをアプリケーションにさらに送信することができる。
【００５３】
図３を参照すると、図１に示すステップは、アプリケーションによって行うことができる。ステップＳ３１１において、アプリケーションは、複数のインタフェース要素を表現する。例えば、アプリケーションは複数のインタフェース要素を視覚的に表示してもよい。
【００５４】
ステップＳ３１２において、アプリケーションは、複数のインタフェース要素のうち第１インタフェース要素に対応するユーザ入力を受信する。例えば、入力コントロールによって複数のインタフェース要素のうち第１インタフェース要素を選択する入力が受信されてもよい。ステップＳ３１２は、図１に示すステップＳ１１０に対応する。
【００５５】
ステップＳ３１３において、アプリケーションは、サーバに第１アプリケーションが選択された累積回数の更新を要求する。アプリケーションは、サーバに累積回数の更新を要求する要求信号を送信し得る。
【００５６】
ステップＳ３２１において、サーバは累積回数の更新要求に応答する。サーバは、アプリケーションに累積回数の更新要求に応答する応答信号を送信する。応答信号は、第１インタフェース要素の更新された累積回数を含む。
【００５７】
ステップＳ３１４において、アプリケーションは、第１インタフェース要素の更新された累積回数に基づいて、第２インタフェース要素の表現方式を決定する。ステップＳ３１３及びステップＳ３１４は、図１に示すステップＳ１２０に対応する。
【００５８】
図４〜図６は、他の実施形態に係るユーザフィードバックのためのインターフェーシング方法を説明する図である。図４を参照すると、一実施形態に係るインターフェーシング方法は、複数のインタフェース要素が選択された累積回数を取得するステップＳ４１０、及び累積回数に関する第１基準及び累積回数の間の相対的関係に関する第２基準のうち少なくとも１つに基づいて複数のインタフェース要素のうち少なくとも１つの表現方式を決定するステップＳ４２０を含む。
【００５９】
図４に示されたステップは、サーバ又はクライアントによって行われる。図４に示されたステップがサーバ又はクライアントによって行われる実施形態については図５及び図６を参照して後述する。
【００６０】
複数のインタフェース要素は、図１を参照して前述した内容がそのまま適用され得るため、より詳細な説明は省略する。
【００６１】
ステップＳ４１０において、複数のインタフェース要素が選択された累積回数が取得される。複数のインタフェース要素が選択された累積回数はサーバを介してカウントされる。
【００６２】
例えば、サーバは複数のクライアントから情報を収集する。第１クライアントにインストールされた第１アプリケーションは、複数のインタフェース要素を第１ユーザに提供する。複数のインタフェース要素のいずれか１つを選択するユーザ入力が受信される場合、第１アプリケーションは、受信されたユーザ入力をサーバに送信し得る。サーバは、第１ユーザによって選択されたインタフェース要素の選択累積回数を増加させることができる。
【００６３】
また、第ｎクライアントにインストールされた第ｎアプリケーションも複数のインタフェース要素を第ｎユーザに提供することができる。ここで、ｎは２以上の整数であってもよい。複数のインタフェース要素のいずれか１つを選択するユーザ入力が受信される場合、第ｎアプリケーションは、受信されたユーザ入力をサーバに送信することができる。サーバは、第ｎユーザによって選択されたインタフェース要素の選択累積回数を増加させることができる。
【００６４】
サーバは、カウントされた情報を格納するメモリから複数のインタフェース要素が選択された累積回数を取得し得る。クライアントは、サーバから複数のインタフェース要素が選択された累積回数を取得できる。
【００６５】
ステップＳ４２０において、累積回数に関する第１基準及び累積回数の間の相対的関係に関する第２基準のうち少なくとも１つに基づいて、複数のインタフェース要素のうち少なくとも１つの表現方式が決定される。第１基準は、累積回数そのもの、例えば、累積回数の絶対的数値に関する基準であり得る。第２基準は、累積回数の間の相対的関係、例えば、累積回数の相対的数値に関する基準であり得る。
【００６６】
一実施形態によると、複数のインタフェース要素の累積回数が取得されれば、累積回数の統計に基づいて複数のインタフェース要素のうち少なくとも１つの表現方式が変更され得る。例えば、累積回数のうち最も大きい累積回数が予め決定した閾値よりも小さい場合、複数のインタフェース要素のうち少なくとも１つの表現方式が変更されてもよい。
【００６７】
一実施形態によると、複数のインタフェース要素の累積回数が取得されれば、累積回数の大きさに応じて複数のインタフェース要素が第１集合及び第２集合に分類される。例えば、複数のインタフェース要素のうち累積回数が最も大きい２つのインタフェース要素が第１集合に分類され、残りのインタフェース要素が第２集合に分類されてもよい。
【００６８】
この場合、第１集合に属するインタフェース要素の第１累積回数、第２集合に属するインタフェース要素の第２累積回数、及び第１累積回数と第２累積回数との間の相対的関係のうち少なくとも１つに基づいて、第１集合及び第２集合のうち少なくとも１つに属するインタフェース要素の表現方式が変更され得る。例えば、第１集合の累積回数の合計が第２集合の累積回数の合計よりも予め決定した閾値比率（例えば、３倍）以上大きいか否かに応じて、第２集合に属するインタフェース要素の表現方式が変更され得る。
【００６９】
または、第１累積回数の間の相対的関係及び第１累積回数のうち少なくとも１つに基づいて、第１集合に属するインタフェース要素の表現方式が変更され得る。例えば、第１集合に属するインタフェース要素の累積回数のうち最も大きい累積回数と予め決定した閾値範囲以内の累積回数を有するか否かに応じて、第１集合に属するインタフェース要素の表現方式が変更され得る。
【００７０】
または、第２累積回数の間の相対的関係及び第２累積回数のうち少なくとも１つに基づいて、第２集合に属するインタフェース要素の表現方式が変更され得る。例えば、予め決定した閾値よりも大きい累積回数を有するか否かに応じて、第２集合に属するインタフェース要素の表現方式が変更され得る。
【００７１】
インタフェース要素の表現方式及びインタフェース要素の表現方式を変更する方法は、図１を参照して前述した内容がそのまま適用され得るため、より詳細な説明は省略する。
【００７２】
以下、図５及び図６を参照して、図４に示すステップがサーバ又はクライアントによって行われる実施形態を詳細に説明する。以下、複数のインタフェース要素が視覚的情報を提供する場合を説明するが、複数のインタフェース要素は、視覚的情報、聴覚的情報、触覚的情報、嗅覚的情報、味覚的情報、または、その組合せを提供するように様々に変形され得る。
【００７３】
図５を参照すると、図４に示すステップはサーバによって行われる。ステップＳ５２１において、サーバは、複数のインタフェース要素が選択された累積回数をカウントする。例えば、サーバは、複数のクライアントにより受信されるユーザ入力に基づいて、複数のインタフェース要素が選択された累積回数をカウントしてもよい。
【００７４】
ステップＳ５１１において、クライアントにインストールされたアプリケーション（以下、アプリケーション）は、サーバにコンテンツページを要求する。コンテンツページは、一般的なウェブブラウザーによりアクセスされるウェブページ、専用アプリケーションを介してアクセスされるアプリケーションページなどを含む。クライアントは、サーバにページを要求する要求信号を送信し得る。要求信号は、ページのアドレスなどの要求対象であるページを特定する情報を含むことができる。
【００７５】
ステップＳ５２２において、サーバは、複数のインタフェース要素の表現方式を決定する。例えば、サーバは、要求されたページに含まれる複数のインタフェース要素を検出してもよい。サーバは、メモリから複数のインタフェース要素が選択された累積回数を取得する。サーバは、累積回数の絶対的数値に関する基準及び累積回数の間の相対的関係に関する基準のうち少なくとも１つに基づいて、複数のインタフェース要素の表現方式を変更し得る。ステップＳ５２２は、図４に示すステップＳ４１０及びステップＳ４２０に対応する。
【００７６】
ステップＳ５２３において、サーバは、コンテンツページ要求に応答する。サーバは、アプリケーションにコンテンツページ要求に応答する応答信号を送信する。応答信号は、コンテンツページ情報を含む。応答信号は、複数のインタフェース要素の表現方式に関する情報、例えば、複数のインタフェース要素を表現するイメージなどを含む。
【００７７】
図６を参照すると、図４に示すステップはアプリケーションによって行うことができる。ステップＳ６２１において、サーバは複数のインタフェース要素が選択された累積回数をカウントする。例えば、サーバは複数のクライアントにより受信されるユーザ入力に基づいて、複数のインタフェース要素が選択された累積回数をカウントする。
【００７８】
ステップＳ６１１において、アプリケーションはサーバにコンテンツページを要求する。クライアントは、サーバにコンテンツページを要求する要求信号を送信する。要求信号は、コンテンツページのアドレスなど要求対象であるページを特定する情報を含む。
【００７９】
ステップＳ６２２において、サーバはコンテンツページ要求に応答する。サーバは、アプリケーションでコンテンツページ要求に応答する応答信号を送信する。応答信号は、コンテンツページ情報を含む。応答信号は、複数のインタフェース要素の累積回数を含む。例えば、サーバは、要求されたコンテンツページに含まれる複数のインタフェース要素を検出してもよい。サーバは、メモリから複数のインタフェース要素が選択された累積回数を取得する。サーバは、複数のインタフェース要素が選択された累積回数を応答信号に含ませてもよい。アプリケーションは応答信号を受信し、複数のインタフェース要素が選択された累積回数を取得する。ステップＳ６２２は、図４に示すステップＳ４１０に対応する。
【００８０】
ステップＳ６１２において、アプリケーションは、複数のインタフェース要素の表現方式を決定する。例えば、アプリケーションは、累積回数の絶対的数値に関する基準及び累積回数の間の相対的関係に関する基準のうち少なくとも１つに基づいて、複数のインタフェース要素の表現方式を変更し得る。ステップＳ６１２は、図４に示すステップＳ４２０に対応する。
【００８１】
図７は、実施形態に係るインタフェース要素を説明する図である。図７Ａを参照すると、一実施形態に係るインタフェース要素７１０〜７６０は、ユーザに提供されるコンテンツに対する複数の反応状態に対応する。例えば、インタフェース要素７１０は、表１の反応状態のうち「良い」に対応する。インタフェース要素７２０は、表１の反応状態のうち「面白い」に対応する。インタフェース要素７３０は、表１の反応状態のうち「カッコいい」に対応する。インタフェース要素７４０は、表１の反応状態のうち「あきれる」に対応する。インタフェース要素７５０、は表１の反応状態のうち「悲しい」に対応する。インタフェース要素７６０は、表１の反応状態のうち「腹立つ」に対応する。
【００８２】
インタフェース要素７１０〜７６０は、情報コンポーネントと入力コントロールが組合わせた要素である。例えば、インタフェース要素７１０〜７６０のそれぞれは対応する反応状態に関するイメージとして表現されてもよい。また、インタフェース要素７１０〜７６０は、マウス入力方式、キーボード入力方式、タッチ入力方式、ジェスチャー入力方式、モーション入力方式、音声入力方式などの様々な入力方式によってユーザ入力を受信し得る。
【００８３】
図７Ｂを参照すると、一実施形態に係るインタフェース要素８１０〜８６０は、ユーザに提供されるコンテンツに対する複数の反応状態に対応する。例えば、インタフェース要素８１０〜８６０は表１の反応状態に対応する。
【００８４】
インタフェース要素８１０〜８６０は、情報コンポーネントであってもよい。例えば、インタフェース要素８１０〜８６０それぞれは対応する反応状態に関するイメージに表現されてもよい。
【００８５】
インタフェース要素８１１〜８６１は、入力コントロールであってもよい。例えば、インタフェース要素８１１〜８６１は、インタフェース要素８１０〜８６０に対応するユーザ入力を受信し得る。
【００８６】
図７Ｃを参照すると、一実施形態に係るインタフェース要素９１０は、ユーザに提供されるコンテンツに対する複数の反応状態に対応する。例えば、インタフェース要素９１０は表１の反応状態に対応する。
【００８７】
インタフェース要素９１０は、情報コンポーネントと入力コントロールが組合わせた要素であってもよい。例えば、インタフェース要素９１０のそれぞれは、対応する反応状態に関するイメージとして表現されてもよい。また、インタフェース要素９１０はユーザ入力を受信し得る。
【００８８】
インタフェース要素９２０及びインタフェース要素９３０は、情報コンポーネントであってもよい。例えば、インタフェース要素９２０は、インタフェース要素９１０が選択された累積回数を数字に表示してもよい。また、インタフェース要素９３０は、インタフェース要素９１０に対応する反応状態をテキストとして表示してもよい。
【００８９】
図８は、一実施形態に係るインタフェース要素の表現レベルに対応するイメージを説明する図である。図８を参照すると、一実施形態に係るインタフェース要素は第１レベル１０１０に対応するイメージ、第２レベル１０２０に対応するイメージ、及び第３レベル１０３０に対応するイメージとマッチングされる。
【００９０】
各レベルのイメージは、インタフェース要素に対応する反応状態を段階的に表現するように設定される。例えば、第１レベル１０１０に対応するイメージは反応状態に対して同一に設定され得る。第２レベル１０２０に対応するイメージは反応状態を表現するイメージに設定され得る。第３レベル１０３０に対応するイメージは反応状態をより印象的に表現するイメージに設定され得る。
【００９１】
図９〜図１３は、実施形態に係るインタフェース要素の表現方式の変化を説明する図である。図９Ａを参照すると、一実施形態に係るインタフェース要素が選択された累積回数に応じてインタフェース要素１１１０〜１１６０の大きさが変更され得る。例えば、累積回数が大きいほどインタフェース要素の大きさが大きく変更され、累積回数が小さいほどインタフェース要素の大きさが小さく変更される。
【００９２】
図９Ｂを参照すると、一実施形態に係るインタフェース要素が選択された累積回数に応じてインタフェース要素１２１０〜１２６０の位置が変更され得る。例えば、累積回数が大きいほどインタフェース要素が左側に配置されるよう変更され、累積回数が小さいほどインタフェース要素が右側に配置されるように変更される。
【００９３】
図９Ｃを参照すると、一実施形態に係るインタフェース要素が選択された累積回数に応じてインタフェース要素１３１０〜１３５０それぞれの位置、大きさ、及び表現レベルが変更され得る。例えば、累積回数が最も大きいインタフェース要素１３１０は、残りのインタフェース要素１３２０〜１３５０に比べて大きいイメージに表現され、左側に配置され得る。残りのインタフェース要素１３２０〜１３５０は累積回数の大きさ順に整列して配置される。累積回数が予め決定した閾値（例えば、５０）未満のインタフェース要素１３４０及び１３５０は、表現レベルが第１レベルに設定され得る。
【００９４】
一実施形態によると、インタフェース要素は、累積回数の大きさに応じて複数の集合に分類されることができる。例えば、複数のインタフェース要素は６個であり、複数の集合は２個であってもよい。この場合、各インタフェース要素の累積回数は、累積回数が大きい順にＡ、Ｂ、Ｃ、Ｄ、Ｅ、Ｆに称されてもよい。ここで、累積回数の大きさに応じて、Ａ、Ｂに対応する２つのインタフェース要素は第１集合に分類され、Ｃ、Ｄ、Ｅ、Ｆに対応する残りのインタフェース要素は第２集合に分類されてもよい。Ｃ、Ｄ、Ｅ、ＦはそれぞれＸのように代替表記されてもよい。
【００９５】
複数のインタフェース要素の数、複数の集合の数、及び複数のインタフェース要素が複数の集合に分類される方式は様々に変更され得る。例えば、Ａに対応する１個のインタフェース要素が第１集合に分類され、Ｂ、Ｃ、Ｄ、Ｅ、Ｆに対応する残りのインタフェース要素は第２集合に分類されてもよい。
【００９６】
図１０を参照すると、ステップＳ１４１０において、イメージ表現要求が受信されれば、ステップＳ１４２０でＡが第１閾値ｔｈ１（例えば、１００）よりも大きいか否かを判断する。Ａが第１閾値ｔｈ１よりも大きくない場合、ステップＳ１４２１において、Ａ、Ｂ、Ｃ、Ｄ、Ｅ、Ｆに対応するインタフェース要素の表現レベルは全て２段階（又は、第２レベル）に設定され得る。
【００９７】
Ａが第１閾値ｔｈ１よりも大きい場合、ステップＳ１４３０において、（Ａ＋Ｂ）が（Ｃ＋Ｄ＋Ｅ＋Ｆ）よりも第２閾値比率ｔｈ２（例えば、３）以上大きいか否かを判断する。（Ａ＋Ｂ）が（Ｃ＋Ｄ＋Ｅ＋Ｆ）よりも第２閾値比率ｔｈ２以上大きくない場合、ステップＳ１４３２において、Ｘが第４閾値ｔｈ４よりも大きいか否かを判断する。Ｘが第４閾値ｔｈ４（例えば、１００）よりも大きい場合、ステップＳ１４３３において、Ｘに対応するインタフェース要素の表現レベルは３段階（又は、第３レベル）に設定され得る。例えば、Ｃ、Ｄ、Ｅ、Ｆのうち、第４閾値ｔｈ４よりも大きい累積回数を有するインタフェース要素の表現レベルは３段階（又は、第３レベル）に設定され得る。
【００９８】
Ｘが第４閾値ｔｈ４よりも大きくない場合、ステップＳ１４３４において、Ｘに対応するインタフェース要素の表現レベルは２段階（又は、第２レベル）に設定され得る。例えば、Ｃ、Ｄ、Ｅ、Ｆのうち、第４閾値ｔｈ４よりも大きくない累積回数を有するインタフェース要素の表現レベルは、２段階（又は、第２レベル）に設定され得る。
【００９９】
（Ａ＋Ｂ）が（Ｃ＋Ｄ＋Ｅ＋Ｆ）より第２閾値比率ｔｈ２以上大きい場合、ステップＳ１４３１において、Ｃ、Ｄ、Ｅ、Ｆに対応するインタフェース要素の表現レベルは１段階（又は、第１レベル）に設定され得る。ステップＳ１４４０において、（Ａ−Ｂ）がＡの第３閾値の部分比率ｔｈ３（例えば、１／１０）よりも大きいか否かを判断する。（Ａ−Ｂ）がＡの第３閾値の部分比率ｔｈ３よりも大きい場合、ステップＳ１４４１でＢに対応するインタフェース要素の表現レベルは１段階（又は、第１レベル）に設定され得る。
【０１００】
（Ａ−Ｂ）がＡの第３閾値の部分比率ｔｈ３よりも大きくない場合、ステップＳ１４４２において、Ｂが第５閾値ｔｈ５（例えば、１００）よりも大きいか否かを判断する。Ｂが第５閾値ｔｈ５よりも大きい場合、ステップＳ１４４３において、Ｂに対応するインタフェース要素の表現レベルは３段階（又は、第３レベル）に設定され得る。Ｂが第５閾値ｔｈ５よりも大きくない場合、ステップＳ１４４４において、Ｂに対応するインタフェース要素の表現レベルは２段階（又は、第２レベル）に設定され得る。
【０１０１】
ステップＳ１４３３及び／又はステップＳ１４４３で、Ａに対応するインタフェース要素の表現レベルは３段階（又は、第３レベル）に設定され得る。
【０１０２】
ステップＳ１４４１、ステップＳ１４３４、及び／又はステップＳ１４４４で、Ａに対応するインタフェース要素の表現レベルは２段階（又は、第２レベル）及び３段階（又は、第３レベル）のいずれか１つに設定され得る。例えば、Ａが予め決定した閾値よりも大きい場合、Ａに対応するインタフェース要素は第３レベルに設定され、Ａが予め決定した閾値よりも大きくない場合、Ａに対応するインタフェース要素は第２レベルに設定され得る。
【０１０３】
図１１を参照すると、一実施形態に係るインタフェース要素の表現レベルが設定される場合様々に導き出される。一例として、第１ケース１５１０で全てのインタフェース要素は２段階又は３段階に表現されてもよい。他の例として、第２ケース１５２０で第１集合に属するインタフェース要素は２段階又は３段階に表現され、第２集合に属するインタフェース要素は１段階に表現されてもよい。上述したように、インタフェース要素の数、インタフェース要素が分類される集合の数、それぞれの集合に含まれるインタフェース要素の数は様々に変更され得る。
【０１０４】
更なる例として、第３ケース１５３０で最も大きい累積回数を有するインタフェース要素は２段階又は３段階に表現され、残りのインタフェース要素は１段階に表現されてもよい。上述したように、累積回数の様々な統計に基づいてインタフェース要素の表現方式が変更され得る。例えば、最も小さい累積回数を有するインタフェース要素は１段階に表現され、残りのインタフェース要素は２段階又は３段階に表現され得る。
【０１０５】
図面に表示していないが、一実施形態に係るサーバは、カウント部、受信部、決定部、及び送信部を含んでもよい。カウント部は、コンテンツに対する反応状態に対応する複数のインタフェース要素が選択された累積回数をカウントし得る。例えば、カウント部はコンテンツに対する反応状態それぞれに対して複数のユーザによる選択回数を累積してカウントしてもよい。受信部は、コンテンツに関するページを要求する要求信号を受信し得る。例えば、受信部は、端末（又は、クライアント）から要求信号を受信してもよい。
【０１０６】
決定部は、累積回数の間の相対的関係に基づいて複数のインタフェース要素のうち少なくとも１つの表現方式を決定する。決定部の動作には、前述した事項がそのまま適用され得るため、より詳細な説明は省略する。送信部は、決定された少なくとも１つの表現方式を含む応答信号を送信し得る。例えば、送信部は、コンテンツページを要求した端末（又は、クライアント）で応答信号を送信してもよい。
【０１０７】
一実施形態に係る端末は、送信部、受信部、及び決定部を含む。端末はクライアントであってもよい。送信部は、コンテンツに関するページを要求する要求信号を送信し得る。例えば、送信部は、サーバで要求信号を送信してもよい。受信部は、コンテンツに対する反応状態に対応する複数のインタフェース要素が選択された累積回数を含む応答信号を受信し得る。例えば、受信部は要求信号に対する応答として、サーバから応答信号を受信してもよい。複数のインタフェース要素が選択された累積回数はサーバによってカウントされる。
【０１０８】
決定部は、累積回数の間の相対的関係に基づいて、複数のインタフェース要素のうち少なくとも１つの表現方式を決定する。決定部の動作は、前述した事項がそのまま適用され得るため、より詳細な説明は省略する
【０１０９】
以上で説明された実施形態は、ハードウェア構成要素、ソフトウェア構成要素、及び／又はハードウェア構成要素及びソフトウェア構成要素の組合で実現してもよい。例えば、プロセッサ、コントローラ、ＡＬＵ（arithmetic logic unit）、デジタル信号プロセッサ（digital signal processor）、マイクロコンピュータ、ＦＰＡ（field programmable array）、ＰＬＵ（programmable logic unit）、マイクロプロセッサー、または、命令（ｉｎｓｔｒｕｃｔｉｏｎ）を実行して応答できる異なる装置のように、１つ以上の汎用コンピュータまたは特殊目的のコンピュータを用いて実現されてもよい。処理装置は、オペレーティングシステム（ＯＳ）及び前記オペレーティングシステム上で行われる１つ以上のソフトウェアアプリケーションを行ってもよい。また、処理装置は、ソフトウェアの実行に応答してデータをアクセス、格納、操作、処理及び生成してもよい。理解の便宜のために、処理装置は１つ使用されるものと説明される場合もあるが、当該の技術分野で通常の知識を有する者は、処理装置が複数の処理要素（processing element）及び／又は複数類型の処理要素を含んでいることが分かる。例えば、処理装置は、複数のプロセッサまたは１つのプロセッサ及び１つのコントローラを含んでもよい。また、並列プロセッサ（parallel processor）のような、他の処理構成も可能である。
【０１１０】
ソフトウェアはコンピュータプログラム、コード、命令、またはこのうちの１つ以上の組合せを含んでもよく、希望の通りに動作するよう処理装置を構成したり独立的または結合的に処理装置を命令してもよい。ソフトウェア及び／又はデータは、処理装置によって解釈されたり処理装置に命令またはデータを提供するためどのような類型の機械、構成要素、物理的装置、仮想装置、コンピュータ格納媒体または装置、送信される信号波に永久的または一時的に具体化されたりしてもよい。ソフトウェアは、ネットワークに接続されたコンピュータシステム上に分散し、分散された方法で格納されたり実行されたりしてもよい。ソフトウェア及びデータは１つ以上のコンピュータで読み出し可能な記録媒体に格納されてもよい。
【０１１１】
実施形態に係る方法は、多様なコンピュータ手段を介して様々な処理を実行することができるプログラム命令の形態で実現され、コンピュータで読取可能な記録媒体に記録されてもよい。コンピュータ読取可能な媒体は、プログラム命令、データファイル、データ構造などのうち１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例には、コンパイラによって作られるような機械語コードだけでなく、インタープリタなどを用いてコンピュータによって実行できる高級言語コードが含まれる。前記したハードウェア装置は、本発明の動作を行うために１つ以上のソフトウェアモジュールとして動作するように構成されてもよく、その逆も同様である。
【０１１２】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【０１１３】
したがって、本発明の範囲は、開示された実施形態に限定されるものではなく、特許請求の範囲だけではなく特許請求の範囲と均等なものなどによって定められるものである。
【図１】
2016058089.tif 000004
【図２】
2016058089.tif 000005
【図３】
2016058089.tif 000006
【図４】
2016058089.tif 000007
【図５】
2016058089.tif 000008
【図６】
2016058089.tif 000009
【図７Ａ】
2016058089.tif 000010
【図７Ｂ】
2016058089.tif 000011
【図７Ｃ】
2016058089.tif 000012
【図８】
2016058089.tif 000013
【図９Ａ】
2016058089.tif 000014
【図９Ｂ】
2016058089.tif 000015
【図９Ｃ】
2016058089.tif 000016
【図１０】
2016058089.tif 000017
【図１１】
2016058089.tif 000018